【手続補正書】
【提出日】平成17年4月11日(2005.4.11)
【手続補正１】
【補正対象書類名】明細書
【補正対象項目名】全文
【補正方法】変更
【補正の内容】
【書類名】      明細書
【発明の名称】  弾球遊技機
【特許請求の範囲】
【請求項１】
釘等が設けられ、遊技球が流下可能な遊技領域が設けられた遊技盤と、
前記遊技領域に向かって遊技球を発射するための発射装置と、
前記遊技盤の表面に配設され、前記発射装置により発射された遊技球を前記遊技領域に導くためのガイドレールとを備え、
前記ガイドレールには、
内レールと、
前記内レールと遊技球が通過可能な間隔を保って対向する外レールと、
前記内レールと外レールとの対向間隔内に位置し、一端部に位置する入口が前記発射装置に臨み、他端部に位置する出口が前記遊技領域に向かって開口する遊技球案内路を備える弾球遊技機において、
前記遊技球案内路の前記出口の付近には、
前記出口の延長線上に位置し、前記出口から前記遊技領域に打ち出される遊技球が、前記釘等の影響を受けずに、入球可能な入球装置を設けていることを特徴とする弾球遊技機。
【請求項２】
請求項１に記載の弾球遊技機において、
前記入球装置には、
通常遊技より遊技者に有利な特別遊技において、遊技者に不利な第１状態と、遊技者にとって有利な第２状態とに変動可能な変動入球手段を備えていることを特徴とする弾球遊技機。
【請求項３】
請求項１又は請求項２に記載の弾球遊技機において、
前記入球装置は、
遊技球の入球状態を遊技者が視認可能に構成されていることを特徴とする弾球遊技機。
【請求項４】
請求項１〜３のいずれか１項に記載の弾球遊技機において、
前記遊技球案内路の出口側に位置する前記内レールの先端部には、
前記遊技球案内路の出口から前記遊技領域に向かって打ち出された遊技球が、前記遊技球案内路に再び戻ることを防止するためのファール球防止部材を備え、
前記入賞装置は、
前記ファール球防止部材の移動範囲外に設けられていることを特徴とする弾球遊技機。
【請求項５】
請求項１〜４のいずれか１項に記載の弾球遊技機において、
前記遊技盤には、
装飾面を有する化粧板と、
遊技球が通過可能な間隔を保って前記化粧板の前面に配置され、前記ガイドレール及び前記入球装置が配置される遊技板とを備え、
前記遊技板は、
前記化粧板の装飾面を視認可能に構成されていることを特徴とする弾球遊技機。
【発明の詳細な説明】
【０００１】
【発明の属する技術分野】
この発明は、パチンコ機等の弾球遊技機であって、遊技球が入球可能な入球装置の改良に関するものである。
【０００２】
【従来の技術】
従来のパチンコ機では、ガイドレールから発射された遊技球は、釘や風車等に影響されて、その流下方向を変化させながら、入賞装置に入賞したり、或いは最下方まで流下してアウト球となっていた。
【０００３】
【発明が解決しようとする課題】
しかし、上記した従来のパチンコ機では、入賞装置への入賞が、釘のゲージ調整や風車等の配置に影響され易いという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、遊技球が入球装置に入球する場合には、釘や風車等の配置に影響されないようにしたものである。
【０００４】
これに加えて、請求項１に記載の発明によれば、遊技球が入球装置に入球する場合には、遊技球が遊技盤の遊技領域を流下しないので、遊技時間を短縮することが可能である。
（請求項２）
請求項２に記載の発明は、上記した請求項１に記載の発明の目的に加え、次の点を目的とする。
【０００５】
すなわち、請求項２に記載の発明は、遊技の進行に関連させて、入球装置における遊技球の入球状態を変動することができるようにしたものである。
（請求項３）
請求項３に記載の発明は、上記した請求項１又は請求項２に記載の発明の目的に加え、次の点を目的とする。
【０００６】
すなわち、請求項３に記載の発明は、入球装置における遊技球の入球状態を、遊技者が視認することができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、入球装置に跳ね返された遊技球が、ファール球防止部材により遊技球案内路に再び戻ることを防止することができるようにしたものである。
（請求項５）
請求項５に記載の発明は、上記した請求項１〜４のいずれか１項に記載の発明の目的に加え、次の点を目的とする。
【０００８】
すなわち、請求項５に記載の発明は、遊技板の裏側に配置された化粧板の装飾面、並びに遊技板と化粧板との間を通過する遊技球を視認することができるようにしたものである。
【０００９】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１０】
また、図面番号も、発明の実施の形態において用いた図番を示し、本発明の技術的範囲を限定するものではない。
（請求項１）
請求項１に記載の発明は、次の点を特徴とする。
第一に、弾球遊技機（例えばパチンコ機10）には、例えば図１〜２に示すように、次の構成を備える。
【００１１】
（１）遊技盤(20)
遊技盤(20)は、例えば図１に示すように、遊技領域(21)が設けられたものである。
遊技領域(21)には、図示しないが、釘等が設けられ、遊技球が流下可能なものである。
【００１２】
なお、釘等とは、図示しないが、釘、風車、入賞装置等の遊技球の落下に影響を及ぼすものをいう。
（２）発射装置(30)
例えば図２に示す発射装置(30)は、遊技領域(21)に向かって遊技球を発射するためのものである。
【００１３】
（３）ガイドレール(40)
ガイドレール(40)は、例えば図１に示すように、遊技盤(20)の表面に配設され、図示しないが、発射装置(30)により発射された遊技球を遊技領域(21)に導くためのものである。
第二に、ガイドレール(40)には、例えば図１及び図３に示すように、次の構成を備える。
【００１４】
（４）内レール(41)
（５）外レール(42)
外レール(42)は、例えば図１及び図３に示すように、内レール(41)と遊技球が通過可能な間隔を保って対向するものである。
（６）遊技球案内路(43)
遊技球案内路(43)は、例えば図１及び図３に示すように、内レール(41)と外レール(42)との対向間隔内に位置し、図示しないが、一端部に位置する入口が発射装置(30)に臨み、他端部に位置する出口が遊技領域(21)に向かって開口するものである。
【００１５】
第三に、遊技球案内路(43)の出口の付近には、例えば図１及び図３に示すように、次の構成を備える。
（７）入球装置(100)
入球装置(100)は、例えば図３に示すように、遊技球案内路(43)の出口（例えば遊技球の発射方向）の延長線上に位置し、出口から遊技領域(21)に打ち出される遊技球が、図示しないが、釘等の影響を受けずに、入球可能なものである。
（請求項２）
請求項２に記載の発明は、上記した請求項１に記載の発明の特徴点に加え、次の点を特徴とする。
【００１６】
すなわち、入球装置(100)には、例えば図４に示すように、変動入球手段(120)を備える。
変動入球手段(120)は、通常遊技より遊技者に有利な特別遊技において、遊技者に不利な第１状態と、遊技者にとって有利な第２状態とに変動可能なものである。
（請求項３）
請求項３に記載の発明は、上記した請求項１又は請求項２に記載の発明の特徴点に加え、次の点を特徴とする。
【００１７】
すなわち、入球装置(100)は、例えば図２及び図４に示すように、遊技球の入球状態を遊技者が視認可能に構成されている。
（請求項４）
請求項４に記載の発明は、上記した請求項１〜３のいずれか１項に記載の発明の特徴点に加え、次の点を特徴とする。
【００１８】
第一に、遊技球案内路(43)の出口側に位置する内レール(41)の先端部には、例えば図３に示すように、ファール球防止部材(90)を備える。
ファール球防止部材(90)は、遊技球案内路(43)の出口から遊技領域(21)に向かって打ち出された遊技球が、遊技球案内路(43)に再び戻ることを防止するためのものである。
【００１９】
第二に、入賞装置(100)は、例えば図３に示すように、ファール球防止部材(90)の移動範囲外に設けられている。
（請求項５）
請求項５に記載の発明は、上記した請求項１〜４のいずれか１項に記載の発明の特徴点に加え、次の点を特徴とする。
【００２０】
第一に、遊技盤(20)には、例えば図１１に示すように、次の構成を備える。
（１）化粧板(22)
化粧板(22)は、装飾面(24)を有するものである。
（２）遊技板(23)
遊技板(23)は、遊技球が通過可能な間隔を保って化粧板(22)の前面に配置され、ガイドレール(40)及び入球装置(100)が配置されるものである。
【００２１】
第二に、遊技板(23)は、化粧板(22)の装飾面(24)を視認可能に構成されている。
【００２２】
【発明の実施の形態】
（図面の説明）
図１〜４は、本発明の第１の実施の形態の一例をそれぞれ示すものである。
図１は、遊技盤の概略正面図、図２はパチンコ機の動作を説明するための概略ブロック図、図３は遊技盤の一部拡大図、図４は入球装置の概略断面図をそれぞれ示すものである。
【００２３】
図５〜６は、本発明の第２の実施の形態の一例をそれぞれ示すものである。
図５は、遊技盤の概略正面図、図６はパチンコ機の動作を説明するための概略ブロック図をそれぞれ示すものである。
図７は、本発明の第３の実施の形態の一例を示し、同図は遊技盤の一部拡大図を示すものである。
【００２４】
図８〜１０は、本発明の第４の実施の形態の一例をそれぞれ示すものである。
図８は、遊技盤の概略正面図、図９はパチンコ機の動作を説明するための概略ブロック図、図１０は遊技盤の一部拡大図をそれぞれ示すものである。
図１１は、本発明の第５の実施の形態の一例を示し、同図は遊技盤の概略分解斜視図を示すものである。
（パチンコ機10）
図１中、10は、弾球遊技機としてのパチンコ機を示すものである。
【００２５】
なお、弾球遊技機は、パチンコ機10に限らない。
上記パチンコ機10には、図１〜２に示すように、次のパーツを備える。
（１）遊技盤20
（２）発射装置30
（３）ガイドレール40
なお、パチンコ機10のパーツは、上記した（１）〜（３）に限定されない。
（遊技盤20）
遊技盤20は、図１に示すように、遊技領域21が設けられたものである。
【００２６】
遊技領域21には、図示しないが、釘等が設けられ、遊技球が流下可能なものである。
なお、釘等とは、図示しないが、釘、風車、入賞装置等の遊技球の落下に影響を及ぼすものをいう。
遊技盤20には、具体的には、図１に示すように、次のパーツが配置されている。
【００２７】
（１）画像表示装置50
（２）普通図柄作動口60
（３）特別図柄作動口70
（４）普通図柄表示装置80
（５）ファール球防止部材90
（６）入球装置100
なお、遊技盤20のパーツは、上記した（１）〜（６）に限定されない。
（発射装置30）
図２に示す発射装置30は、遊技領域21に向かって遊技球を発射するためのものである。
（ガイドレール40）
ガイドレール40は、図１及び図３に示すように、遊技盤20の表面に配設され、図示しないが、発射装置30により発射された遊技球を遊技領域21に導くためのものである。
【００２８】
具体的には、ガイドレール40には、図１及び図３に示すように、次のパーツを備える。
なお、ガイドレール40のパーツは、次の（１）〜（３）に限定されない。
（１）内レール41
（２）外レール42
外レール42は、図１及び図３に示すように、内レール41と遊技球が通過可能な間隔を保って対向するものである。
【００２９】
（３）遊技球案内路43
遊技球案内路43は、図１及び図３に示すように、内レール41と外レール42との対向間隔内に位置し、図示しないが、一端部に位置する入口が発射装置30に臨み、他端部に位置する出口が遊技領域21に向かって開口するものである。
（画像表示装置50）
画像表示装置50は、画像を表示するためのものである。
【００３０】
具体的には、画像表示装置50には、図１〜２に示すように、次のパーツを備える。
なお、画像表示装置50のパーツは、次の（１）〜（２）に限定されない。
（１）特別図柄表示部51
特別図柄表示部51は、特別図柄を変動表示可能なものであり、例えば液晶画面より構成されている。
【００３１】
なお、特別図柄表示部51は、液晶に限定されず、ドットマトリックス、真空管等を使用しても良い。
（２）特別図柄保留装置52
特別図柄保留装置52は、特別図柄の変動遊技の権利を所定の個数、例えば４個保留することができるようにしたものである。
【００３２】
なお、特別図柄の変動遊技の権利の個数は、４個に限定されない。
具体的には、特別図柄保留装置52は、４個のＬＥＤから構成されている。
なお、特別図柄保留装置52は、ＬＥＤに限定されず、液晶、ドットマトリックス、真空管、７セグメント等を使用しても良い。
（普通図柄作動口60）
普通図柄作動口60は、遊技球の通過を条件に、普通図柄の変動遊技の権利を発生させるためのものである。
【００３３】
具体的には、普通図柄作動口60には、図２に示すように、次の手段を備える。
なお、普通図柄作動口60の手段は、次の（１）に限定されない。
（１）普通図柄作動口用球検出手段61
普通図柄作動口用球検出手段61は、普通図柄作動口60を通過した遊技球を検出するためのものである。
（特別図柄作動口70）
特別図柄作動口70は、遊技球の入賞を条件に、特別図柄の変動遊技の権利を発生させるためのものである。
【００３４】
具体的には、特別図柄作動口70には、図２に示すように、次の手段を備える。
なお、特別図柄作動口70の手段は、次の（１）〜（２）に限定されない。
（１）特別図柄作動口用球検出手段71
特別図柄作動口用球検出手段71は、特別図柄作動口70に入賞した遊技球を検出するためのものである。
【００３５】
（２）開閉装置72
開閉装置72は、特別図柄作動口70を開閉するためのものであり、例えば電動チューリップを使用している。
なお、開閉装置72は、電動チューリップに限定されず、アタッカーでも良い。
（普通図柄表示装置80）
具体的には、普通図柄表示装置80には、図１〜２に示すように、次のパーツを備える。
【００３６】
なお、普通図柄表示装置80の手段は、次の（１）〜（２）に限定されない。
（１）普通図柄表示部81
普通図柄表示部81は、普通図柄を変動表示可能なものであり、例えばドットマトリックスより構成されている。
なお、特別図柄表示部51は、ドットマトリックスに限定されず、液晶、真空管等を使用しても良い。
【００３７】
（２）普通図柄保留装置82
普通図柄保留装置82は、普通図柄の変動遊技の権利を所定の個数、例えば４個保留することができるようにしたものである。
なお、普通図柄の変動遊技の権利の個数は、４個に限定されない。
具体的には、普通図柄保留装置82は、４個のＬＥＤから構成されている。
【００３８】
なお、普通図柄保留装置82は、ＬＥＤに限定されず、液晶、ドットマトリックス、真空管、７セグメント等を使用しても良い。
（ファール球防止部材90）
ファール球防止部材90は、遊技球案内路43の出口から遊技領域21に向かって打ち出された遊技球が、遊技球案内路43に再び戻ることを防止するためのものである。
（入球装置100）
入球装置100は、図３に示すように、遊技球案内路43の出口、より具体的には遊技球の発射方向の延長線上に位置し、出口から遊技領域21に打ち出される遊技球が、図示しないが、釘等の影響を受けずに、入球可能なものである。
【００３９】
また、入賞装置は、図３に示すように、ファール球防止部材90の移動範囲外に設けられている。
具体的には、入球装置100には、図２〜４に示すように、次のパーツを備える。
（１）入球装置用球検出手段110
（２）変動入球手段120
なお、入球装置100の手段は、上記した（１）〜（２）に限定されない。
（入球装置用球検出手段110）
入球装置用球検出手段110は、入球装置100に入球した遊技球を検出するためのものである。
【００４０】
入球装置用球検出手段110は、図２に示すように、次の手段を備える。
なお、入球装置用球検出手段110の手段は、次の（１）〜（２）に限定されない。
（１）特定領域用球検出手段111
特定領域用球検出手段111は、入球装置100に入球した遊技球が、内部の特定領域（図示せず）を通過したことを検出するためのものである。
【００４１】
（２）入賞領域用球検出手段112
入賞領域用球検出手段112は、入球装置100に入球した遊技球が、前記特定領域（図示せず）を除く領域である入賞領域（図示せず）を通過したことを検出するためのものである。
（変動入球手段120）
変動入球手段120は、通常遊技より遊技者に有利な特別遊技において、遊技者に不利な第１状態と、遊技者にとって有利な第２状態とに変動可能なものである。
【００４２】
具体的には、変動入球手段120は、図４に示すように、昇降して開閉する開閉扉121から構成されている。
入球装置100は、図４に示すように、開閉扉121が開放することで、遊技球の入球状態を遊技者が視認可能に構成されている。
（遊技制御手段200）
一方、パチンコ機10の内部には、図１に示すように、遊技制御手段200を備える。
【００４３】
遊技制御手段200は、遊技を制御するためのものである。
具体的には、遊技制御手段200は、コンピュータであって、図示しないが、例えばＣＰＵを中心に構成され、ＲＯＭやＲＡＭ等の記録媒体、Ｉ／Ｏ等を備える。
なお、遊技制御手段200のＣＰＵの数は、１個に限定されず、２個以上のＣＰＵを用いても良い。
【００４４】
また、記録媒体は、ＲＯＭやＲＡＭに限定されず、ＦＤ、ＣＤ−ＲＯＭ、ＭＯ、ＤＶＤ等でも良い。
上記ＣＰＵは、記録媒体、例えばＲＯＭに記録されたプログラムを読み込むことで、図２に示すように、大別すると、次の手段として機能する。
（１）通常遊技制御手段210
（２）特別遊技制御手段220
（３）普通図柄遊技制御手段230
（４）確率変動遊技制御手段240
（５）入球装置制御手段250
なお、遊技制御手段200の手段は、上記した（１）〜（５）に限定されない。
（遊技制御手段200の入力段）
遊技制御手段200の入力段には、図２に示すように、次の手段が接続されている。
【００４５】
（１）普通図柄作動口用球検出手段61
（２）特別図柄作動口用球検出手段71
（３）入球装置用球検出手段110
なお、遊技制御手段200の入力段に接続される手段は、上記した（１）〜（３）に限定されない。
（遊技制御手段200の出力段）
遊技制御手段200の出力段には、図２に示すように、次の手段が接続されている。
【００４６】
なお、遊技制御手段200の出力段に接続される手段は、次の（１）〜（６）に限定されない。
（１）発射装置30
（２）賞球払出装置130
賞球払出装置130は、賞球を払い出すためのものである。
【００４７】
（３）特別図柄作動口70の開閉装置72
（４）画像表示装置50
（４−１）特別図柄表示部51
（４−２）特別図柄保留装置52
（５）普通図柄表示装置80
（５−１）普通図柄表示部81
（５−２）普通図柄保留装置82
（６）入球装置100の変動入球手段120
（通常遊技制御手段210）
通常遊技制御手段210は、通常遊技を制御するためのものである。
【００４８】
具体的には、通常遊技制御手段210には、図２に示すように、次の手段を備える。
（１）特別遊技抽選手段211
（２）普通図柄遊技抽選手段212
（３）確率変動遊技抽選手段213
なお、通常遊技制御手段210の手段は、上記した（１）〜（３）に限定されない。
（特別遊技抽選手段211）
特別遊技抽選手段211は、特別図柄作動口70への遊技球の入賞を条件に、特別遊技に関する抽選を行うためのものである。
【００４９】
具体的には、特別遊技抽選手段211は、次の抽選を行っている。
（１）大当たりの抽選
（２）停止特別図柄の抽選
（３）変動パターンの抽選
なお、特別遊技抽選手段211の抽選は、上記した（１）〜（３）に限定されない。
（普通図柄遊技抽選手段212）
普通図柄遊技抽選手段212は、普通図柄作動口60への遊技球の通過を条件に、普通図柄に関する抽選を行うためのものである。
【００５０】
具体的には、普通図柄遊技抽選手段212は、次の抽選を行っている。
（１）当たりの抽選
（２）停止普通図柄の抽選
（３）変動パターンの抽選
なお、普通図柄遊技抽選手段212の抽選は、上記した（１）〜（３）に限定されない。
（確率変動遊技抽選手段213）
確率変動遊技抽選手段213は、確率変動遊技に関する抽選を行うためのものである。
【００５１】
具体的には、確率変動遊技抽選手段213は、特別遊技抽選手段211において大当たり時に抽選を実行している。
（特別遊技制御手段220）
特別遊技制御手段220は、特別遊技を制御するためのものである。
（普通図柄遊技制御手段230）
普通図柄遊技制御手段230は、普通図柄遊技を制御するためのものである。
（確率変動遊技制御手段240）
確率変動遊技制御手段240は、確率変動遊技を制御するためのものである。
（入球装置制御手段250）
入球装置制御手段250は、入球装置100、具体的にはその変動入球手段120の変動を制御するためのものである。
（遊技の説明）
つぎに、上記した構成を備えるパチンコ機10を用いた遊技について、以下に説明する。
【００５２】
遊技の種類は、次の通りである。
（１）通常遊技
（２）特別遊技
（３）普通図柄遊技
（４）確率変動遊技
なお、遊技の種類は、上記した（１）〜（４）に限定されない。
（通常遊技）
発射装置30により遊技球を発射すると、当該遊技球は、ガイドレール40の遊技球案内路43を通って、遊技領域21に打ち出される。
【００５３】
遊技球は、図示しないが、遊技領域21を流下し、その流下途中で入賞した場合には、賞球払出装置130が作動され、所定個数の賞球が払い出される。
（特別遊技）
通常遊技から特別遊技への概略の流れは、次の通りである。
（１）特別図柄作動口70への遊技球の入賞
当該遊技球が特別図柄作動口用球検出手段71により検出されると、通常遊技制御手段210の特別遊技抽選手段211により抽選が行われる。
【００５４】
同時に、賞球払出装置130が作動され、所定個数の賞球が払い出される。
（２）上記抽選結果に基づく、特別図柄の変動遊技
特別遊技抽選手段211の抽選にもとづいて、画像表示装置50の特別図柄表示部51の特別図柄が変動・停止する。
（３）大当たりの抽選に当選した場合
特別遊技抽選手段211の大当たりの抽選に当選した場合には、入球装置100の変動入球手段120が、所定の条件、例えば数秒で数回開閉する。
【００５５】
なお、ハズレの場合には、ハズレ図柄を停止した後、上記した「（１）」に戻る。
（４）特別遊技の開始
開放状態の入球装置100に入球した遊技球が、図示しないが、特定領域を通過し、特定領域用球検出手段111により検出されたことを条件に、特別遊技が開始される。
【００５６】
特別遊技は、特別遊技制御手段220により制御されている。
（５）入球装置100の開放
特別遊技が開始すると、図４に示すように、入球装置100の開閉扉121を、所定の条件で開放する。
開放時間は、最大開放時間が例えば数十秒に設定されている。
【００５７】
開閉扉121の開放時間中は、ガイドレール40から遊技領域21に打ち出される遊技球は、入球装置100に全て入球し、遊技領域21を流下しない。
入球装置100に入球した遊技球は、図示しないが、内部の特定領域又は入賞領域を通過する。
遊技球が、特定領域を通過すると、特定領域用球検出手段111により検出される。
【００５８】
その結果、賞球払出装置130が作動され、所定個数の賞球が払い出される。
また、遊技球が、入賞領域を通過すると、入賞領域用球検出手段112により検出される。
その結果、賞球払出装置130が作動され、所定個数の賞球が払い出される。
（６）特別遊技の継続
開放状態の入球装置100に入球した遊技球が、図示しないが、特定領域を通過し、特定領域用球検出手段111により検出されたことを継続条件に、ラウンドが更新される。
【００５９】
ラウンドは、最大ラウンド回数が設定されている。
（７）特別遊技の終了
特別遊技の終了には、パンクと、最終ラウンドの満了とがある。
（７−１）パンク
継続条件が達成されない場合には、当該ラウンドで特別遊技が終了する。
【００６０】
また、ラウンド中に、１０カウントとなると、当該ラウンドで特別遊技が終了する。すなわち、開放状態の入球装置100に入球した遊技球が、図示しないが、特定領域を除く領域である入賞領域を通過し、入賞領域用球検出手段112により検出された入賞球数が１０個を越えると、その時点で特別遊技が終了する。
（７−２）最終ラウンドの満了
最大ラウンドが満了すると、特別遊技が終了する。
【００６１】
（８）特別図柄の変動遊技の権利の保留
上記「（２）」で説明した特別図柄の変動遊技中、遊技球が、特別図柄作動口70に入賞し、特別図柄作動口用球検出手段71により検出される度に、特別図柄保留装置52のＬＥＤを一個ずつ、最大４個迄点灯することで、特別図柄の変動遊技の権利を保留することができるようにしている。
（普通図柄遊技）
通常遊技から普通図柄遊技への概略の流れは、次の通りである。
【００６２】
（１）普通図柄作動口60の遊技球の通過
当該遊技球が普通図柄作動口用球検出手段61により検出されると、通常遊技制御手段210の普通図柄遊技抽選手段212により抽選が行われる。
なお、このとき、賞球は払い出されない。
（２）上記抽選結果に基づく、普通図柄の変動遊技
普通図柄遊技抽選手段212の抽選にもとづいて、普通図柄表示装置80の普通図柄表示部81の普通図柄が変動・停止する。
【００６３】
（３）当たりの抽選に当選した場合
普通図柄遊技抽選手段212の当たりの抽選に当選した場合には、特別図柄作動口70の開閉装置72を、所定の条件、例えば数秒開放し、普通図柄遊技を開始する。
なお、開放時間は、通常遊技の場合と、後述する確率変動遊技の場合とは相違し、確率変動遊技時の開放時間を延長している。例えば、通常遊技時は、１秒、確率変動遊技時は３秒に設定している。
【００６４】
なお、ハズレの場合には、ハズレ図柄を停止した後、上記した「（１）」に戻る。
（４）普通図柄の変動遊技の権利の保留
上記「（２）」で説明した普通図柄の変動遊技中、遊技球が、普通図柄作動口60を通過し、普通図柄作動口用球検出手段61により検出される度に、普通図柄保留装置82のＬＥＤを一個ずつ、最大４個迄点灯することで、普通図柄の変動遊技の権利を保留することができるようにしている。
（確率変動遊技）
確率変動遊技は、特別遊技の大当たりの抽選の当選時に、通常遊技制御手段210の確率変動遊技抽選手段213により抽選が行われる。
【００６５】
なお、確率変動遊技抽選手段213を使用せず、或いは省き、特別遊技抽選手段211の停止特別図柄の抽選結果にもとづいて、確率変動遊技への移行を決定しても良い。
確率変動遊技の抽選に当選した場合には、当該特別遊技終了後に、次のような利益を受けることができる。
【００６６】
（１）大当たりの抽選の確率の向上
例）通常遊技    ：１／３００
確率変動遊技：１／  ６０
（２）普通図柄の変動時間の短縮
例）通常遊技    ：１０〜３０秒
確率変動遊技：  ５〜１５秒
（３）特別図柄作動口70の開放時間の延長
例）通常遊技    ：１秒
確率変動遊技：３秒
（第２の実施の形態）
つぎに、図５〜６を用いて、本発明の第２の実施の形態の一例について、以下に説明する。
【００６７】
本実施の形態の第一の特徴は、入球装置100を、普通図柄作動口として利用できるようにした点にある。
すなわち、入球装置100には、図６に示すように、普通図柄作動口用球検出手段113を備えている点である。
本実施の形態の第二の特徴は、図１に示す普通図柄表示装置80に代えて、遊技盤20に、図５に示すように、大入賞口140を配置した点にある。
【００６８】
大入賞口140には、図５〜６に示すように、大別すると、次のパーツを備える。
なお、大入賞口140のパーツは、次の（１）〜（２）に限定されない。
（１）アタッカー141
アタッカー141は、通常遊技より遊技者に有利な特別遊技において、遊技者に不利な第１状態と、遊技者にとって有利な第２状態とに変換可能なものであり、具体的には、扉を開閉している。
【００６９】
（２）普通図柄保留装置142
普通図柄保留装置142は、普通図柄の変動遊技の権利を所定の個数、例えば４個保留することができるようにしたものである。
なお、普通図柄の変動遊技の権利の個数は、４個に限定されない。
具体的には、普通図柄保留装置142は、４個のＬＥＤから構成されている。
【００７０】
なお、普通図柄保留装置142は、ＬＥＤに限定されず、液晶、ドットマトリックス、真空管、７セグメント等を使用しても良い。
（３）大入賞口用球検出手段150
大入賞口用球検出手段150は、アタッカー141に入球した遊技球を検出するためのものである。
【００７１】
具体的には、大入賞口用球検出手段150には、図６に示すように、次の手段を備える。
なお、大入賞口用球検出手段150の手段は、次の（３−１）〜（３−２）に限定されない。
（３−１）特定領域用球検出手段151
特定領域用球検出手段151は、アタッカー141内に入球した遊技球が、内部の特定領域（図示せず）を通過したことを検出するためのものである。
【００７２】
（３−２）入賞領域用球検出手段152
入賞領域用球検出手段152は、アタッカー141内に入球した遊技球が、前記特定領域（図示せず）を除く領域である入賞領域（図示せず）を通過したことを検出するためのものである。
本実施の形態の第三の特徴は、図５に示すように、画像表示装置50に、普通図柄表示部53を備えている点である。
【００７３】
なお、本実施の形態の説明においては、図１〜４に示す第１の実施の形態と同一の構成部分については、同一の符号を付し、説明を省略する。
（第２の実施の形態の遊技の説明）
つぎに、図５〜６に示す第２の実施の形態に係る、上記した構成を備えるパチンコ機10を用いた遊技について、以下に説明する。
【００７４】
遊技の種類は、次の通りである。
（１）通常遊技
（２）特別遊技
（３）普通図柄遊技
（４）確率変動遊技
なお、遊技の種類は、上記した（１）〜（４）に限定されない。
【００７５】
また、上記「（１）通常遊技」は、図１〜４を用いて説明した第１の実施の形態と同様であるので、説明を省略する。
さらに、上記「（４）確率変動遊技」も、図１〜４を用いて説明した第１の実施の形態と同様であるが、これに加え、入球装置100の開放という追加利益を受けることができる。
（入球装置100の開放）
確率変動遊技の抽選に当選した場合には、当該特別遊技終了後に、入球装置100の開閉扉121を、所定の条件、例えば数秒置きに開放する。
【００７６】
開閉扉121の開放時間中は、ガイドレール40から遊技領域21に打ち出される遊技球は、入球装置100に全て入球し、遊技領域21を流下しない。
入球装置100に入球した遊技球は、内部の普通図柄作動口用球検出手段113により検出される。
なお、このとき、賞球は払い出されない。
（第２の実施の形態の特別遊技）
通常遊技から特別遊技への概略の流れは、次の通りである。
【００７７】
（１）特別図柄作動口70への遊技球の入賞
当該遊技球が特別図柄作動口用球検出手段71により検出されると、通常遊技制御手段210の特別遊技抽選手段211により抽選が行われる。
同時に、賞球払出装置130が作動され、所定個数の賞球が払い出される。
（２）上記抽選結果に基づく、特別図柄の変動遊技
特別遊技抽選手段211の抽選にもとづいて、画像表示装置50の特別図柄表示部51の特別図柄が変動・停止する。
【００７８】
（３）大当たりの抽選に当選した場合
特別遊技抽選手段211の大当たりの抽選に当選した場合には、大入賞口140のアタッカー141を、所定の条件、例えば数秒で数回開閉する。
なお、ハズレの場合には、ハズレ図柄を停止した後、上記した「（１）」に戻る。
【００７９】
（４）特別遊技の開始
開放状態のアタッカー141に入球した遊技球が、図示しないが、特定領域を通過し、特定領域用球検出手段151により検出されたことを条件に、特別遊技が開始される。
特別遊技は、特別遊技制御手段220により制御されている。
【００８０】
（５）アタッカー141の開放
特別遊技が開始すると、図４に示すように、アタッカー141を、所定の条件で開放する。
開放時間は、最大開放時間が例えば数十秒に設定されている。
アタッカー141に入球した遊技球は、図示しないが、内部の特定領域又は入賞領域を通過する。
【００８１】
遊技球が、特定領域を通過すると、特定領域用球検出手段151により検出される。
その結果、賞球払出装置130が作動され、所定個数の賞球が払い出される。
また、遊技球が、入賞領域を通過すると、入賞領域用球検出手段152により検出される。
【００８２】
その結果、賞球払出装置130が作動され、所定個数の賞球が払い出される。
（６）特別遊技の継続
開放状態のアタッカー141に入球した遊技球が、図示しないが、特定領域を通過し、特定領域用球検出手段151により検出されたことを継続条件に、ラウンドが更新される。
【００８３】
ラウンドは、最大ラウンド回数が設定されている。
（７）特別遊技の終了
特別遊技の終了には、パンクと、最終ラウンドの満了とがある。
（７−１）パンク
継続条件が達成されない場合には、当該ラウンドで特別遊技が終了する。
【００８４】
また、ラウンド中に、１０カウントとなると、当該ラウンドで特別遊技が終了する。すなわち、開放状態のアタッカー141に入球した遊技球が、図示しないが、特定領域を除く領域である入賞領域を通過し、入賞領域用球検出手段152により検出された入賞球数が１０個を越えると、その時点で特別遊技が終了する。
（７−２）最終ラウンドの満了
最大ラウンドが満了すると、特別遊技が終了する。
【００８５】
（８）特別図柄の変動遊技の権利の保留
上記「（２）」で説明した特別図柄の変動遊技中、遊技球が、特別図柄作動口70に入賞し、特別図柄作動口用球検出手段71により検出される度に、特別図柄保留装置52のＬＥＤを一個ずつ、最大４個迄点灯することで、特別図柄の変動遊技の権利を保留することができるようにしている。
（第２の実施の形態の普通図柄遊技）
通常遊技から普通図柄遊技への概略の流れは、次の通りである。
【００８６】
（１）開放状態の入球装置100への遊技球の入球
当該遊技球が入賞領域用球検出手段152により検出されると、通常遊技制御手段210の普通図柄遊技抽選手段212により抽選が行われる。
なお、このとき、賞球は払い出されない。
（２）上記抽選結果に基づく、普通図柄の変動遊技
普通図柄遊技抽選手段212の抽選にもとづいて、画像表示装置50の普通図柄表示部53の普通図柄が変動・停止する。
【００８７】
（３）当たりの抽選に当選した場合
普通図柄遊技抽選手段212の当たりの抽選に当選した場合には、特別図柄作動口70の開閉装置72を、所定の条件、例えば数秒開放し、普通図柄遊技を開始する。
なお、普通図柄遊技の開始後も、確率変動遊技中と同様に、入球装置100の開閉扉121を、所定の条件、例えば数秒置きに開放しても良い。また、普通図柄遊技中に、入球装置100を開放するか否かを、普通図柄遊技抽選手段212の抽選結果にもとづいて、決定しても良い。
【００８８】
なお、ハズレの場合には、ハズレ図柄を停止した後、上記した「（１）」に戻る。
（４）普通図柄の変動遊技の権利の保留
上記「（２）」で説明した普通図柄の変動遊技中、遊技球が、入球装置100に入球し、入賞領域用球検出手段152により検出される度に、大入賞口140の普通図柄保留装置142のＬＥＤを一個ずつ、最大４個迄点灯することで、普通図柄の変動遊技の権利を保留することができるようにしている。
（第３の実施の形態）
つぎに、図７を用いて、本発明の第３の実施の形態の一例について、以下に説明する。
【００８９】
本実施の形態の特徴は、入球装置100の開閉扉121を、図７に示すように、上下方向に長い縦長に形成した点である。
なお、本実施の形態の説明においては、図１〜４に示す第１の実施の形態と同一の構成部分については、同一の符号を付し、説明を省略する。
（第４の実施の形態）
つぎに、図８〜１０を用いて、本発明の第４の実施の形態の一例について、以下に説明する。
【００９０】
本実施の形態の特徴は、入球装置100に、図１０に示すように、遊技球誘導路160を備えている点である。
遊技球誘導路160は、図１０に示すように、入球装置100に入球した遊技球を誘導可能なものである。
また、遊技球誘導路160は、図１０に示すように、遊技盤20の一部に透明部や半透明部等を形成し、これらの透明部や半透明部を通して、遊技球の通過を遊技者が視認可能としている。
【００９１】
一方、遊技球誘導路160には、図１０に示すように、大別すると、次の構成を備える。
なお、遊技球誘導路160の構成は、次の（１）〜（４）に限定されない。
（１）遊技球導入口161
遊技球導入口161は、図１０に示すように、入球装置100に臨むものである。
【００９２】
（２）遊技球導出口162〜163
遊技球導出口162〜163は、図１０に示すように、遊技球導入口161の下側に位置し、遊技領域21に開口するものである。
具体的には、遊技球導出口162〜163は、図１０に示すように、遊技領域21に複数、例えば２個設けられている。
【００９３】
２個の遊技球導出口162〜163のうち、一方の第１遊技球導出口162は、図１０に示すように、普通図柄作動口60に向かって開口している。
２個の遊技球導出口162〜163のうち、他方の第２遊技球導出口163は、図１０に示すように、画像表示装置50のワープ入口54に向かって開口している。
なお、遊技球導出口162〜163の数は、２個に限定されず、１個でも良いし、或いは３個以上でも良い。
【００９４】
（３）分岐路164〜165
分岐路164〜165は、図１０に示すように、複数、例えば２本有り、各分岐路164〜165は、複数個、例えば２個の遊技球導出口162〜163に向かってそれぞれ分岐したものである。
２本の分岐路164〜165のうち、一方の第１分岐路164は、図１０に示すように、第１遊技球導出口162に向かって分岐している。
【００９５】
２本の分岐路164〜165のうち、他方の第２分岐路165は、図１０に示すように、第２遊技球導出口163に向かって分岐している。
なお、分岐路164〜165の数は、２本に限定されず、３本以上でも良い。
（４）振分手段170
振分手段170は、複数、例えば２本の分岐路164〜165に向かって遊技球を振り分けるためのものである。
【００９６】
なお、本実施の形態の説明においては、図１〜４に示す第１の実施の形態、並びに図５〜６に示す第２の実施の形態と同一の構成部分については、同一の符号を付し、説明を省略する。
（第４の実施の形態の遊技の説明）
つぎに、図８〜１０に示す第４の実施の形態に係る、上記した構成を備えるパチンコ機10を用いた遊技について、以下に説明する。
【００９７】
遊技の種類は、次の通りである。
（１）通常遊技
（２）特別遊技
（３）普通図柄遊技
（４）確率変動遊技
（５）チャンス・タイム遊技
なお、遊技の種類は、上記した（１）〜（５）に限定されない。
【００９８】
また、上記「（１）通常遊技」〜「（４）確率変動遊技」は、図５〜６を用いて説明した第２の実施の形態と同様であるので、説明を省略する。
（チャンス・タイム遊技）
チャンス・タイム遊技は、例えば大当たりが「確率変動図柄」で当たったときに、特別遊技の終了後、次の（１）〜（２）の２つの利益を受けることができる遊技をいう。
【００９９】
（１）入球装置100の開閉扉121の開放
入球装置100の開閉扉121を、所定の条件、例えば数秒置きに開放させる。
（２）振分手段170の動作
振分手段170を動作させる。
例えば、振分手段170が、図１０の実線で示す位置にある場合には、第２分岐路165が閉じ、第１分岐路164が開放されている。
【０１００】
このため、開放状態の入球装置100に入球した遊技球は、第１分岐路164を通って第１遊技球導出口162から、遊技領域21に出現する。その結果、多くの遊技球は、図１０に示すように、第１遊技球導出口162の下側に位置する普通図柄作動口60を通過する。
これに対し、振分手段170が、図１０の鎖線で示す位置に切り替わると、第１分岐路164が閉じられ、第２分岐路165が開放されている。
【０１０１】
このため、開放状態の入球装置100に入球した遊技球は、第２分岐路165を通って第２遊技球導出口163から、遊技領域21に出現する。その結果、多くの遊技球は、図１０に示すように、画像表示装置50のワープ入口54に入球する。
ワープ入口54に入球した遊技球は、図８に示す画像表示装置50の下側から遊技領域21に再度、出現し、特別図柄作動口70に向かって落下する。落下した多くの遊技球は、特別図柄作動口70に入賞する。
【０１０２】
なお、チャンス・タイム遊技は、「確率変動図柄」の大当たりに限定されず、又、振分手段170の動作タイミングもチャンス・タイム遊技に限定されない。
（第５の実施の形態）
つぎに、図１１を用いて、本発明の第５の実施の形態の一例について、以下に説明する。
【０１０３】
本実施の形態の特徴は、図１１に示すように、遊技盤20を、化粧板22と遊技板23とに分離した点である。
化粧板22には、図１１に示すように、次の構成を備える。
（１）装飾面24
装飾面24は、化粧板22の表面に設けられ、キャラクタやその背景等が描かれている。
【０１０４】
なお、装飾面24は、化粧板22の表面に限らず、化粧板22の内部や裏面に設けても良い。
（２）第２遊技領域25
第２遊技領域25は、化粧板22と遊技板23との間隔内に形成され、後述するが、遊技板23の入球装置100に入球した遊技球が流下可能なものである。なお、第２遊技領域25に、釘、風車、入賞口、アウト口等を配置しても良い。
【０１０５】
一方、遊技板23は、化粧板22の装飾面24を視認可能に構成されている。
具体的には、遊技板23の全部又は一部に、図示しないが、透明部や半透明部等を形成し、これらの透明部や半透明部を通して、化粧板22の装飾面24を視認可能に構成されている。
なお、化粧板22の装飾面24を視認可能とする構成は、透明部や半透明部に限定されない。
【０１０６】
遊技板23には、図１１に示すように、次のパーツが配置されている。
（３）ガイドレール40
（４）入球装置100
遊技板23の入球装置100に入球した遊技球は、化粧板22の第２遊技領域25を流下する。第２遊技領域25を流下する遊技球は、その後、再度、遊技板23の遊技領域21に戻らせても良い。
【０１０７】
なお、遊技板23のパーツは、上記した（３）〜（４）に限定されず、第１の実施の形態の説明に使用した図１に配置されているパーツが配置されている。
なお、本実施の形態の説明においては、図１〜４に示す第１の実施の形態と同一の構成部分については、同一の符号を付し、説明を省略する。
【０１０８】
【発明の効果】
本発明は、以上のように構成されているので、以下に記載されるような効果を奏する。
（請求項１）
請求項１に記載の発明によれば、次のような効果を奏する。
【０１０９】
すなわち、請求項１に記載の発明によれば、遊技球が入球装置に入球する場合には、釘や風車等の配置に影響されないようにしたものである。
これに加えて、請求項１に記載の発明によれば、遊技球が入球装置に入球する場合には、遊技球が遊技盤の遊技領域を流下しないので、遊技時間を短縮することが可能である。
（請求項２）
請求項２に記載の発明によれば、上記した請求項１に記載の発明の効果に加え、次のような効果を奏する。
【０１１０】
すなわち、請求項２に記載の発明によれば、遊技の進行に関連させて、入球装置における遊技球の入球状態を変動することができる。
（請求項３）
請求項３に記載の発明によれば、上記した請求項１又は請求項２に記載の発明の効果に加え、次のような効果を奏する。
【０１１１】
すなわち、請求項３に記載の発明によれば、入球装置における遊技球の入球状態を、遊技者が視認することができる。
（請求項４）
請求項４に記載の発明によれば、上記した請求項１〜３のいずれか１項に記載の発明の効果に加え、次のような効果を奏する。
【０１１２】
すなわち、請求項４に記載の発明によれば、入球装置に跳ね返された遊技球が、ファール球防止部材により遊技球案内路に再び戻ることを防止することができる。
（請求項５）
請求項５に記載の発明によれば、上記した請求項１〜４のいずれか１項に記載の発明の効果に加え、次のような効果を奏する。
【０１１３】
すなわち、請求項５に記載の発明によれば、遊技板の裏側に配置された化粧板の装飾面、並びに遊技板と化粧板との間を通過する遊技球を視認することができる。
【図面の簡単な説明】
【図１】
本発明の第１の実施の形態の一例を示し、同図は遊技盤の概略正面図である。
【図２】
本発明の第１の実施の形態の一例を示し、同図はパチンコ機の動作を説明するための概略ブロック図である。
【図３】
図１に示す遊技盤の一部拡大図である。
【図４】
図１に示す入球装置の概略断面図である。
【図５】
本発明の第２の実施の形態の一例を示し、同図は遊技盤の概略正面図である。
【図６】
本発明の第２の実施の形態の一例を示し、同図はパチンコ機の動作を説明するための概略ブロック図である。
【図７】
本発明の第３の実施の形態の一例を示し、同図は遊技盤の一部拡大図である。
【図８】
本発明の第４の実施の形態の一例を示し、同図は遊技盤の概略正面図である。
【図９】
本発明の第４の実施の形態の一例を示し、同図はパチンコ機の動作を説明するための概略ブロック図である。
【図１０】
図８に示す遊技盤の一部拡大図である。
【図１１】
本発明の第５の実施の形態の一例を示し、同図は遊技盤の概略分解斜視図である。
【符号の説明】
（第１の実施の形態）
10  パチンコ機（弾球遊技機）        20  遊技盤
21  遊技領域                        30  発射装置
40  ガイドレール                    41  内レール
42  外レール                        43  遊技球案内路
50  画像表示装置                    51  特別図柄表示部
52  特別図柄保留装置                60  普通図柄作動口
61  普通図柄作動口用球検出手段      70  特別図柄作動口
71  特別図柄作動口用球検出手段      72  開閉装置
80  普通図柄表示装置                81  普通図柄表示部
82  普通図柄保留装置                90  ファール球防止部材
100  入球装置                       110  入球装置用球検出手段
111  特定領域用球検出手段           112  入賞領域用球検出手段
120  変動入球手段                   121  開閉扉
130  賞球払出装置                   200  遊技制御手段
210  通常遊技制御手段               211  特別遊技抽選手段
212  普通図柄遊技抽選手段           213  確率変動遊技抽選手段
220  特別遊技制御手段               230  普通図柄遊技制御手段
240  確率変動遊技制御手段           250  入球装置制御手段
（第２の実施の形態）
53  普通図柄表示部                 113  普通図柄作動口用球検出手段
140  大入賞口                       141  アタッカー
150  大入賞口用球検出手段           151  特定領域用球検出手段
152  入賞領域用球検出手段           142  普通図柄保留装置
（第４の実施の形態）
54  ワープ入口                     160  遊技球誘導路
161  遊技球導入口                   162〜163  遊技球導出口
164〜165  分岐路                    170  振分手段
（第５の実施の形態）
22  化粧板                        24  装飾面
25  第２遊技領域                  23  遊技板